(57)【要約】      （修正有）【課題】尿の逆流を防止する逆流ストッパーを提供する。【解決手段】逆流ストッパーは、尿管コネクター１０、逆流ストップバルブ２０、尿バッグコネクター３０を有し、逆流ストップバルブは薄膜材料で作られ、逆流ストップバルブの前後端面は流路２０１が貫通し、流路は前端入口と後端出口を有し、前端入口とバルブ接続口は相互に連通し、後端出口は扁平なスリット口を呈し、通路は前端接続口、尿バッグコネクターと相互に連接する後端接続口を有し、逆流ストップバルブは通路内に位置し、流路の後端出口は通路の後端接続口にぴったり対応し、薄膜材料を採用し逆流ストップバルブとすることで、流路の後端出口は扁平なスリット口を呈し、尿が後端出口を通過すると、薄膜の伸縮性により尿は後端出口を押し開き排出を行い、尿が後端出口から完全に排出されると、後端出口は薄膜の伸縮性により閉じ、尿の逆流を防止し患者の感染を回避する。【選択図】図４
0003234453.tif 000002
【実用新案登録請求の範囲】
【請求項１】
尿の逆流を防止する逆流ストッパーであって、尿管コネクター、逆流ストップバルブ及び尿バッグコネクターを有し、
前記尿管コネクターは、ベース、前記ベース外側面に延伸する尿管接続口、及び前記ベース内側面に延伸するバルブ接続口を有し、尿管接続口とバルブ接続口は、相互に貫通し、
前記逆流ストップバルブは薄膜材質で、しかも逆流ストップバルブの内外表面には殺菌物質を塗布し、逆流ストップバルブの前後端面は、流路が貫通し、前記流路は、前端入口と後端出口を有し、前記前端入口と前記バルブ接続口とは、相互に連通し、前記後端出口は、扁平なスリット口を呈し、
前記尿バッグコネクターの前後端面は、通路が貫通し、前記通路は、前端接続口、尿バッグコネクターと相互に連接する後端接続口を有し、前記ベースと前端接続口とは、密封して固定連接され、前記逆流ストップバルブは、通路内に位置し、しかも流路の後端出口は、通路の後端接続口にぴったり対応することを特徴とする、
尿の逆流を防止する逆流ストッパー。
【請求項２】
前記逆流ストップバルブは、全体が一体成型の連接構造であることを特徴とする、
請求項１に記載の尿の逆流を防止する逆流ストッパー。
【請求項３】
前記逆流ストップバルブは、相互に連通する第一逆流ストップバルブと第二逆流ストップバルブを有し、第一逆流ストップバルブと第二逆流ストップバルブの内部には、前記流路を形成し、第一逆流ストップバルブの前端入口とバルブ接続口とは、相互に連通し、第一逆流ストップバルブの後端出口は、扁平スリット口で、前記第二逆流ストップバルブ全体は扁平状を呈し、第二逆流ストップバルブは、第一逆流ストップバルブの後端出口上に嵌めて設置することを特徴とする、
請求項１に記載の尿の逆流を防止する逆流ストッパー。
【請求項４】
前記第一逆流ストップバルブの前端内部と後端内部の連接位置は、Ｙ型形状を呈することを特徴とする、
請求項３に記載の尿の逆流を防止する逆流ストッパー。
【請求項５】
前記尿管コネクターは、パゴダコネクターで、ベースの外表面には、外ネジ山を有し、それに対応し、前端接続口内壁には、内ネジ山を有し、外ネジ山と内ネジ山のネジ山は対応し、固定して連接されることを特徴とする、
請求項１に記載の尿の逆流を防止する逆流ストッパー。
【請求項６】
前記バルブ接続口は、円柱状で、それに対応し、流路の前端入口は、円形を呈し、前端入口は、バルブ接続口上に嵌めて設置されることを特徴とする、
請求項１に記載の尿の逆流を防止する逆流ストッパー。
【請求項７】
前記尿管コネクターと尿バッグコネクターは共に、殺菌材質であることを特徴とする、
請求項１に記載の尿の逆流を防止する逆流ストッパー。
【請求項８】
前記尿バッグコネクターは、本体部、本体部後端に一体に延伸する尾部を有し、前記前端接続口は、本体部上に位置し、後端接続口は、尾部上に位置し、尾部の内壁には、尿バッグコネクターと相互に連接する内ネジ山を有することを特徴とする、
請求項１に記載の尿の逆流を防止する逆流ストッパー。
【考案の詳細な説明】
【技術分野】
【０００１】
本考案は医療用器材領域の技術に関し、特に尿の逆流を防止するための逆流ストッパーに関する。
【背景技術】
【０００２】
採尿器は臨床現場でよく用いられる医療器具である。
それは、導尿管、尿バッグ、逆流ストッパー等の器具からなる。
このような構造の採尿器を使用し、正常に排尿できない患者に対して採尿を行う際には、泌尿器系統の感染が起きやすい。
報道によれば、泌尿器系統の感染は医療行為が原因の感染の６０％〜７０％を占めており、導尿管の使用による感染の２％〜４％はグラム陰性菌敗血症にまで進行しており、世界で毎年約３万人が導尿管使用による泌尿器系統の感染で死亡している。
よって、現在の採尿器には、尿の逆流を防止する逆流ストッパーが設置されている。
【０００３】
患者の尿は、導尿管により膀胱から導出され、喉管を経て、一時的に尿バッグに貯められる。
患者が移動し或いは看護者がケアを行う時、尿管或いは尿バッグに残留している尿は、位置が膀胱より高ければ、位置エネルギーの導引により、膀胱に逆流し、細菌感染の危険が拡大してしまう。
従来の逆流ストッパーでは、人の手により湾曲喉管を閉じ、尿逆流の危険を減らす必要がある。
しかし、本考案による逆流ストッパーは、上記のような際に自動的に閉じて尿の逆流を阻止することができ、また抗菌コーティング層を塗布することで、膀胱への細菌侵入の機会を減らすことができる。
【考案の概要】
【考案が解決しようとする課題】
【０００４】
前記先行技術には、人の手により湾曲喉管を閉じ、患者が移動し或いは看護者がケアを行う際の尿逆流の危険を減らす必要があるという欠点がある。
【課題を解決するための手段】
【０００５】
本考案は、人の手により閉じる必要があり、しかも逆流の問題が存在する従来の逆流ストッパーの欠点を解決できる尿の逆流を防止する逆流ストッパーに関する。
【０００６】
本考案による尿の逆流を防止する逆流ストッパーは、尿管コネクター、逆流ストップバルブ及び尿バッグコネクターを有する。
該尿管コネクターは、ベース、ベース外側面に延伸する尿管接続口、及びベース内側面に延伸するバルブ接続口を有する。
尿管接続口とバルブ接続口は、相互に貫通する。
該逆流ストップバルブは薄膜材質で、しかも逆流ストップバルブの内外表面には殺菌物質を塗布し、逆流ストップバルブの前後端面は、流路が貫通し、該流路は、前端入口と後端出口を有する。
該前端入口と該バルブ接続口とは、相互に連通し、該後端出口は、扁平なスリット口を呈する。
該尿バッグコネクターの前後端面は、通路が貫通し、該通路は、前端接続口、尿バッグコネクターと相互に連接する後端接続口を有する。
該ベースと前端接続口とは、密封して固定連接され、該逆流ストップバルブは、通路内に位置し、しかも流路の後端出口は、通路の後端接続口にぴったり対応する。
【０００７】
好ましくは、該逆流ストップバルブは、全体が一体成型の連接構造である。
【０００８】
好ましくは、該逆流ストップバルブは、相互に連通する第一逆流ストップバルブと第二逆流ストップバルブを有する。
第一逆流ストップバルブと第二逆流ストップバルブの内部には、該流路を形成し、第一逆流ストップバルブの前端入口とバルブ接続口とは、相互に連通する。
第一逆流ストップバルブの後端出口は、扁平スリット口で、該第二逆流ストップバルブ全体は扁平状を呈し、第二逆流ストップバルブは、第一逆流ストップバルブの後端出口上に嵌めて設置する。
【０００９】
好ましくは、該第一逆流ストップバルブの前端内部と後端内部の連接位置は、Ｙ型形状を呈する。
【００１０】
好ましくは、該尿管コネクターは、パゴダコネクターであり、そのベースの外表面には、外ネジ山を有し、それに対応し、前端接続口内壁には、内ネジ山を有し、外ネジ山と内ネジ山のネジ山は対応し、固定して連接される。
【００１１】
好ましくは、該バルブ接続口は、円柱状であり、それに対応し、流路の前端入口は、円形を呈し、前端入口は、バルブ接続口上に嵌めて設置される。
【００１２】
好ましくは、該尿管コネクターと尿バッグコネクターは共に、殺菌材質である。
【００１３】
好ましくは、該尿バッグコネクターは、本体部、本体部後端に一体に延伸する尾部を有する。
該前端接続口は、本体部上に位置し、後端接続口は、尾部上に位置し、尾部の内壁には、尿バッグコネクターと相互に連接する内ネジ山を有する。
【００１４】
従来の技術とを比較すると、本考案には明確な長所と効果を備える。具体的には、以下の技術方案により明らかである。
一．  薄膜材料を採用し逆流ストップバルブとし、しかも逆流ストップバルブの内外表面には殺菌物質を塗布することで、逆流ストップバルブの流路後端出口は、扁平なスリット口を呈し、尿が後端出口を通過すると、薄膜の伸縮性により、尿は後端出口を押し開き排出を行い、尿が後端出口から完全に排出されると、後端出口は薄膜の伸縮性により閉じ、尿の逆流を防止し、患者の感染を回避する。しかも本考案は構造が簡単で、実用に便利で、従来の逆流ストッパーとは異なり、尿の逆流を自動的に防止することができる。
二．  逆流ストップバルブは第一逆流ストップバルブと第二逆流ストップバルブを有する二重バルブ設計を採用し、二重バルブの設計は、二重の保険となり、尿は確実に逆流しない。たとえ少量の尿が第二逆流ストップバルブ内に逆流したとしても、尿の圧力が小さ過ぎるため、第一逆流ストップバルブを開くことはできず、よって逆流完全防止の原理を達成する。
【図面の簡単な説明】
【００１５】
【図１】本考案の第一実施形態の立体図である。
【図２】本考案の第一実施形態の分解図である。
【図３】本考案の第一実施形態の断面図である。
【図４】本考案の第二実施形態の透視図である。
【図５】本考案の第二実施形態の分解図である。
【考案を実施するための形態】
【００１６】
（一実施形態）
本考案は図に対応し、実施形態の形式で以下の通り詳細な説明を行う。
本考案の第一実施形態の具体構造を示す図１〜図３に示す通り、本考案の第一実施形態は、尿管コネクター１０、逆流ストップバルブ２０及び尿バッグコネクター３０を有する。
【００１７】
尿管コネクター１０は、ベース１１、ベース１１外側面に延伸する尿管接続口１２、及びベース１１内側面に延伸するバルブ接続口１３を有する。
尿管接続口１２とバルブ接続口１３は、相互に貫通する。
尿管は、尿管接続口１２上に連接し、尿は尿管接続口１２から進入する。
【００１８】
逆流ストップバルブ２０は、ＴＰＥ材質等の薄膜材料で作られ、しかも逆流ストップバルブ２０の内外表面には、殺菌材質を塗布する。
殺菌材質を塗布する目的は、尿が万が一逆流した場合にも、逆流した尿の細菌を殺菌物質により殺菌し、感染の可能性を減らすことにある。
逆流ストップバルブ２０の前後端面は、流路２０１が貫通し、流路２０１は、前端入口２０２と後端出口２０３を有する。
前端入口２０２とバルブ接続口１３とは、相互に連通する。
具体的には、バルブ接続口１３は、円柱状で、それに対応し、流路の前端入口２０２は、円形を呈し、前端入口２０２は、バルブ接続口１３上に嵌めて設置される。
後端出口２０３は、扁平なスリット口を呈する。
本実施形態中では、逆流ストップバルブ２０は、全体が一体成型の連接構造である。
患者が排尿し、尿が前端入口２０２において流路２０１に流入すると、薄膜特有の伸縮性により、後端出口２０３は尿により広げられ、尿は後端出口２０３から流出する。
患者が排尿を停止すると、後端出口２０３は薄膜特有の伸縮性により閉じられ、尿の逆流を防止し、患者の感染を回避できる。
【００１９】
尿バッグコネクター３０の前後端面は、通路３０１が貫通する。
通路３０１は、前端接続口３０２、尿バッグコネクター３０３と相互に連接する後端接続口３０３を有する。
ベース１１と前端接続口３０２とは、密封して固定連接され、具体的には、尿管コネクター１０は、パゴダコネクターである。
ベース１１の外表面には、外ネジ山を有し、それに対応し、前端接続口３０２内壁には、内ネジ山を有し、外ネジ山と内ネジ山のネジ山は対応し、固定して連接される。
逆流ストップバルブ２０は、通路３０１内に位置し、しかも流路２０１の後端出口２０３は、通路３０１の後端接続口３０３にぴったり対応する。
尿バッグコネクター３０は、本体部３１、本体部３１後端に一体に延伸する尾部３２を有する。
前端接続口３０２は、本体部３１上に位置し、後端接続口３０３は、尾部３２上に位置し、尾部３２の内壁には、尿バッグコネクター３０３と相互に連接する内ネジ山を有する。
尿バッグコネクター３０と尿管コネクター１０は共に、殺菌材質である。
【００２０】
本実施形態の作動原理について以下に詳述する。
患者が排尿すると、尿は順番に尿管接続口１２から、バルブ接続口１３、前端入口２０２、流路２０１、後端出口２０３、後端接続口３０３へと流れる。
尿が後端出口２０３を流れる時、後端出口２０３の薄膜の伸縮性により、尿は後端出口２０３を開かせる。
尿が後端出口２０３から完全に排出されると、後端出口２０３は薄膜の伸縮性により閉じ、尿の逆流を防止し、患者の感染を回避する。
【００２１】
図４、図５は本考案の第二実施形態を示す。
図に示す通り、同実施形態の構造と第一実施形態の構造は基本的に同一であるが、その違いについて以下に記載する。
本実施形態中では、逆流ストップバルブ２０は、相互に連通する第一逆流ストップバルブ２１と第二逆流ストップバルブ２２を有する。
第一逆流ストップバルブ２１と第二逆流ストップバルブ２２の内部には、流路２０１を形成し、第一逆流ストップバルブ２１の前端入口とバルブ接続口１３とは、相互に連通する。
第一逆流ストップバルブ２１の後端出口は、扁平スリット口で、しかも第一逆流ストップバルブ２１の前端内部と後端内部の連接位置は、Ｙ型形状を呈する。
ヒューマニゼーションデザインであるＹ型導流により、尿の圧力がかかると自動的に開き、尿は自然に通過する。
第二逆流ストップバルブ２２全体は扁平状を呈し、第二逆流ストップバルブ２２は、第一逆流ストップバルブ２１の後端出口上に嵌めて設置する。
尿が排出されると、第一逆流ストップバルブ２１は自動的に封鎖され、第二逆流ストップバルブ２２も自動的に封鎖される。
その二重バルブの設計は、二重の保険となり、尿は確実に逆流しない。
たとえ少量の尿が第二逆流ストップバルブ２２内に逆流したとしても、尿の圧力が小さ過ぎるため、第一逆流ストップバルブを開くことはできず、よって逆流完全防止の原理を達成する。
【００２２】
本考案の設計の重点は以下の通りである。
一．  薄膜材料を採用し逆流ストップバルブとし、しかも逆流ストップバルブの内外表面には殺菌物質を塗布することで、逆流ストップバルブの流路後端出口は、扁平なスリット口を呈し、尿が後端出口を通過すると、薄膜の伸縮性により、尿は後端出口を押し開き、排出を行う。尿が後端出口から完全に排出されると、後端出口は薄膜の伸縮性により閉じ、尿の逆流を防止し、患者の感染を回避する。しかも本考案は構造が簡単で、実用に便利で、従来の逆流ストッパーとは異なり、尿の逆流を自動的に防止することができる。
二．  逆流ストップバルブは第一逆流ストップバルブと第二逆流ストップバルブを有する二重バルブ設計を採用し、二重バルブの設計は、二重の保険となり、尿は確実に逆流しない。たとえ少量の尿が第二逆流ストップバルブ内に逆流したとしても、尿の圧力が小さ過ぎるため、第一逆流ストップバルブを開くことはできず、よって逆流完全防止の原理を達成する。
【００２３】
前述した本考案の実施形態は本考案を限定するものではなく、よって、本考案により保護される範囲は後述される実用新案登録請求の範囲を基準とする。
【符号の説明】
【００２４】
１０  尿管コネクター
１１  ベース
１２  尿管接続口
１３  バルブ接続口
２０  逆流ストップバルブ
２０１  流路
２０２  前端入口
２０３  後端出口
２１  第一逆流ストップバルブ
２２  第二逆流ストップバルブ
３０  尿バッグコネクター
３０１  通路
３０２  前端接続口
３０３  後端接続口
３１  本体部
３２  尾部
【図１】
0003234453.tif 000003
【図２】
0003234453.tif 000004
【図３】
0003234453.tif 000005
【図４】
0003234453.tif 000006
【図５】
0003234453.tif 000007